(57)【特許請求の範囲】
【請求項１】
開閉及び施封可能な天板部と底板部とを備えた角筒状カートンにおいて、正面板１の両側に折目を介してそれぞれ側面板２、２が連設され、一方の側面板２の側端部に折目を介して背面板３が連設され、該背面板３の側端部に折目を介して貼着板４が連設され、前記正面板１の上端部には、折目を介して折込板５と、該折込板５の上端部に折目を介して天部緩衝板６が連設され、該天部緩衝板６の両側端部及び上端部にそれぞれ折目を介して折立板７、７、８が連設されて天部緩衝板部Ｂ1 が構成され、前記正面板１の下端部には、折目を介して折込板５と、該折込板５の下端部に折目を介して底部緩衝板６が連設され、該底部緩衝板６の両側端部及び上端部にそれぞれ折目を介して折立板７、７、８が連設されて底部緩衝板部Ｂ2 が構成され、前記背面板３の上端部には、折目を介して天板１１が連設されて天板部Ａ1 が構成され、前記背面板３の下端部には、折目を介して底板１１が連設されて底板部Ａ2 が構成されていることを特徴とする緩衝板付カートン。
【請求項２】
前記天部緩衝板部Ｂ1 と底部緩衝板部Ｂ2 の何れか一方又は両方に、内容物を保持する切込部を備えることを特徴とする請求項１記載の緩衝板付カートン。
【請求項３】
前記天板部１１と底板部１１のいずれか一方若しくは両方に切込部１３ａを介して差込係合板１３を備える差込板１２が連設され、前記差込係合板１３の対応位置に該差込係合板１３が差し込み係合される切込線ｆが、前記天部緩衝板６と折込板５とを連設する折目と底部緩衝板６と折込板５とを連設する折目のいずれか一方若しくは両方に沿って設けられていることを特徴とする請求項１又は請求項２記載の緩衝板付カートン。
【発明の詳細な説明】
【０００１】
【発明の属する技術分野】
本発明は、通常の板紙又は段ボール製のカートン（箱）に内容物を保護する目的の緩衝板を設けた緩衝板付カートンに関する。
【０００２】
【従来の技術】
従来はカートン内に収納包装する内容物を保護するために、カートンとは別部品の板紙、段ボール、パルプモールド、発泡スチロール等の緩衝材を準備して、カートンと緩衝材とを併用して、カートン内の内容物を保護できるような所定の位置に緩衝材を配置して組み付けることにより内容物を保護している。
【０００３】
このように緩衝材を別部品としてカートン内の所定位置に配置して組み付けるタイプのカートンの場合には、カートンとは別に緩衝材を準備する必要があり、またカートンに適合した緩衝材の仕入れ管理が必要であり、またカートン内への緩衝材の位置決めや組み付けの作業を必要している。
【０００４】
【発明が解決しようとする課題】
本発明の課題は、上記不都合を解消できる緩衝板付カートンを提供することにあり、カートン内の所定位置に緩衝板を配置して物品を収納包装するタイプのカートンにおいて、カートン本体と一体に緩衝板を連設することにより、カートンに適合した緩衝板の準備や仕入れ管理を省力化し、カートン内への緩衝材の位置決めや組み付け作業を容易にすることにある。
【０００５】
【課題を解決するための手段】
本発明の請求項１に係る発明は、開閉及び施封可能な天板部と底板部とを備えた角筒状カートンにおいて、正面板１の両側に折目を介してそれぞれ側面板２、２が連設され、一方の側面板２の側端部に折目を介して背面板３が連設され、該背面板３の側端部に折目を介して貼着板４が連設され、前記正面板１の上端部には、折目を介して折込板５と、該折込板５の上端部に折目を介して天部緩衝板６が連設され、該天部緩衝板６の両側端部及び上端部にそれぞれ折目を介して折立板７、７、８が連設されて天部緩衝板部Ｂ1 が構成され、前記正面板１の下端部には、折目を介して折込板５と、該折込板５の下端部に折目を介して底部緩衝板６が連設され、該底部緩衝板６の両側端部及び上端部にそれぞれ折目を介して折立板７、７、８が連設されて底部緩衝板部Ｂ2 が構成され、前記背面板３の上端部には、折目を介して天板１１が連設されて天板部Ａ1 が構成され、前記背面板３の下端部には、折目を介して底板１１が連設されて底板部Ａ2 が構成されていることを特徴とする緩衝板付カートンである。
【０００６】
本発明の請求項２に係る発明は、上記請求項１に係る緩衝板付カートンにおいて、前記天部緩衝板部Ｂ1 と底部緩衝板部Ｂ2 の何れか一方又は両方に、内容物を保持する切込部を備えることを特徴とする緩衝板付カートンである。また、本発明の請求項３に係る発明は、上記請求項１又は請求項２に係る緩衝板付カートンにおいて、前記天板部１１と底板部１１のいずれか一方若しくは両方に切込部１３ａを介して差込係合板１３を備える差込板１２が連設され、前記差込係合板１３の対応位置に該差込係合板１３が差し込み係合される切込線ｆが、前記天部緩衝板６と折込板５とを連設する折目と底部緩衝板６と折込板５とを連設する折目のいずれか一方若しくは両方に沿って設けられていることを特徴とする緩衝板付カートンである。
【０００７】
【発明の実施の形態】
本発明の緩衝板付カートンを、図１（ａ）〜（ｂ）に示す実施の形態に沿って以下に詳細に説明する。
【０００８】
本発明の緩衝板付カートンは、図１（ａ）及び図１（ｂ）に示すように、開閉及び施封可能な天板部Ａ1 と底板部Ａ2 とを備えた板紙製、段ボール製、又は板紙、段ボール、合成樹脂フィルム、合成樹脂コーティング層等の積層による複合材製の角筒状カートンＡであって、そのカートンＡの内部に、天板部Ａ1 に平行に所定の間隔Ｓ1 を保持して設けた天部緩衝板部Ｂ1 と、底板部Ａ2 に平行に所定の間隔Ｓ2 を保持して設けた底部緩衝板部Ｂ2 とを備えている。
【０００９】
そして該天部緩衝板部Ｂ1 と底部緩衝板部Ｂ2 は、図１（ａ）に示すように、それぞれカートンＡの一つの側板部Ａ3 の上端と下端に折目を介して一体に連設されているものである。
【００１０】
本発明の緩衝板付カートンＡの内部には、図１（ｂ）に示すように、その上部と下部とに、互いに対向する天板部Ａ1 に平行に所定の間隔Ｓ1 を保持して設けた天部緩衝板部Ｂ1 と、底板部Ａ2 に平行に所定の間隔Ｓ2 を保持して設けた底部緩衝板部Ｂ2 とを備えている。
【００１１】
この天部緩衝板部Ｂ1 と底部緩衝板部Ｂ2 の対向面を、内容物Ｃの上端部と下端部とに圧接させて収納包装することにより、カートン外部から天板部Ａ1 と底板部Ａ2 に掛かる衝撃力による影響が、内容物Ｃに直接及ぶことを回避して、衝撃力を緩和することができる。
【００１２】
また、図示するように、天部緩衝板部Ｂ1 と底部緩衝板部Ｂ2 の何れか一方又は両方の対向面に、適宜内容物Ｃを係合する切込部ｂ1 又は／及びｂ2 を設けることにより、カートン外部からの衝撃力による影響が、内容物Ｃに直接及ぶことを回避し、衝撃力を緩和するだけでなく、内容物を動揺させずにカートン内の一定位置に固定して保持することができる。
【００１３】
【実施例】
次に本発明の緩衝板付カートンＡの具体的実施例を、図２のカートン展開図に基づいて以下に詳細に説明する。
【００１４】
（カートンブランクシート）
本発明の緩衝板付カートンＡのカートンブランクシートは、板紙製、段ボール製、又は板紙、段ボール、合成樹脂フィルム、合成樹脂コーティング層等の積層による複合材製であって、図２に示すようなものである。
【００１５】
正面板１の両側に折目ａを介してそれぞれ側面板２、２が連設され、一方の側面板２の側端部に折目ｃを介して背面板３が連設され、該背面板３の側端部に折目ｃを介して貼着板４（糊代板）が連設されている。
【００１６】
また前記正面板１の上端部には、折目ｄを介して折込板５と、該折込板５の上端部に折目ｅと該折目ｅの中間部に形成した切込線ｆとを介して天部緩衝板６（内容物に対する緩衝用以外に仕切用、支持用としても使用可）が連設され、該天部緩衝板６の両側端部及び上端部にそれぞれ折目ｇ、ｇ、ｈを介して折立板７、７、８が連設されて、天部緩衝板部Ｂ1 を構成している。
【００１７】
なお必要に応じて、天部緩衝板部Ｂ1 の天部緩衝板６には切込部ｂ1 が設けられ、また前記折目ｄ上の中央部には爪掛け孔９が孔設されている。
【００１８】
また前記正面板１の前記上端部と同様に下端部にも、折目ｄを介して折込板５と、該折込板５の下端部に折目ｅと該折目ｅの中間部に形成した切込線ｆとを介して底部緩衝板６（内容物に対する緩衝用以外に仕切用、支持用としても使用可）が連設され、該底部緩衝板６の両側端部及び上端部にそれぞれ折目ｇ、ｇ、ｈを介して折立板７、７、８が連設されて、底部緩衝板部Ｂ2 を構成している。
【００１９】
なお天部緩衝板部Ｂ1 と同様に必要に応じて、底部緩衝板部Ｂ2 の底部緩衝板６には切込部ｂ2 が設けられ、また前記折目ｄ上の中央部には爪掛け孔９が孔設されている。
【００２０】
前記切込部ｂ1 、ｂ2 は、内容物Ｃの形状に対応して、天部緩衝板又は底部緩衝板６の所定位置に孔設した所定の形状の丸孔、楕円孔、三角形や四角形等の多角形孔等の孔設部であってもよいし、所定の形状の直線、曲線、波線等の線切部であってもよい。
【００２１】
前記切込部ｂ1 、ｂ2 は、例えば図２に示すように、天部緩衝板又は底部緩衝板６の中央部に円形状の折目６ｂ（点線）を設け、該円形状の中心から放射状に折目６ｂに向かう複数本の切込線６ｃを設け、さらに円形状の折目６ｂの内側に必要に応じて孔設部６ａを設けるようにして、切込線６ｃにより形成された複数の小片部を折目６ｂより折り曲げて、内容物Ｃの外面に押し当てて固定保持するための固定用小片部とするものである。
【００２２】
前記各々側面板２、２の上下端部には、折目ｉを介してそれぞれフラップ板１０が連設されている。
【００２３】
背面板３の上端部には、折目ｊを介して天板１１が連設され、該天板１１の上端部には折目ｋと該折目ｋの両端に形成した切込線ｌ、ｌを介して差込板１２が連設され、該差込板１２の上端部には、前記天部緩衝板６に形成した切込線ｆ内に差し込み係合する差込係合板１３が設けられ、該差込係合板１３基端部の両側にはそれぞれ切込部１３ａ、１３ａが形成されて、天板部Ａ1 を構成している。
【００２４】
また前記背面板３の前記上端部と同様に下端部にも、折目ｊを介して底板１１が連設され、該底板１１の上端部には折目ｋと該折目ｋの両端に形成した切込線ｌ、ｌを介して差込板１２が連設され、該差込板１２の上端部には、前記底部緩衝板６に形成した切込線ｆ内に差し込み係合する差込係合板１３が設けられ、該差込係合板１３基端部の両側にはそれぞれ切込部１３ａ、１３ａが形成されて、天板部Ａ2 を構成している。
【００２５】
（カートンブランクシートの組み立て）
上記カートンブランクシートから、本発明の緩衝板付カートンＡを組み立てる場合は、まず、正面板１、側面板２、２、背面板３、貼着板４を、折目ａ、ａ、ｂ、ｃを介して同じ方向（図面表面方向）に折り曲げ、側面板２の側端部と貼着板４との重ね合わせ部を貼着して、正面板１、側面板２、２、背面板３により構成される四つの側板部Ａ3 、Ａ3 、Ａ3 、Ａ3 からなる角筒状体（図１参照）を形成する。
【００２６】
次に、天部緩衝板部Ｂ1 の天部緩衝板６及び底部緩衝板部Ｂ2 の底部緩衝板６の周囲にある折立板７、７、８を、折目ｇ、ｇ、ｈを介して同じ方向（図面裏面方向）に、緩衝板６に対して直角に折り立てる。
【００２７】
次に、天部緩衝板部Ｂ1 と底部緩衝板部Ｂ2 のいずれか一方の緩衝板部、例えば底部緩衝板部Ｂ2 にある折込板５を、正面板１の下端部の折目ｄより角筒状体の内部方向に１８０°折り曲げることにより、正面板１の内面に折り重ねるとともに、該折込板５に折目ｅ、ｅを介して連設されている底部緩衝板６を、正面板１に対して直角に角筒状体内に水平方向に折り曲げ、底部緩衝板６周囲の折立板７、７、８は側面板２、２及び背面板３のそれぞれ内面に圧接させる。
る。
【００２８】
次に、天部緩衝板部Ｂ1 と底部緩衝板部Ｂ2 のいずれか一方の緩衝板部を、角筒状体内部に組み立てる。
【００２９】
例えば、底部緩衝板部Ｂ2 を先に組み立てるものとすれば、該底部緩衝板部Ｂ2 にある折込板５を、正面板１の下端部の折目ｄより角筒状体の内部方向に１８０°折り曲げることにより、正面板１の内面に折り重ねるとともに、該折込板５に折目ｅ、ｅを介して連設されている底部緩衝板６を、正面板１に対して直角に角筒状体内に水平方向に折り曲げ、底部緩衝板６周囲の折立板７、７、８は側面板２、２及び背面板３のそれぞれ内面に圧接させて、図１（ａ）に示すように底部緩衝板部Ｂ2 を角筒状体内部に組み立てる。
【００３０】
続いて、底板部Ａ2 側のフラップ板１０、１０を折目ｉを介して角筒状体内方に水平に折り曲げるとともに、底板１１を折目ｊを介して角筒状体内方に水平に折り曲げ、さらに差込板１２を、折目ｋを介して直角に折り曲げて折込板５とフラップ板１０、１０の端部との間に差し込み、さらに差込板１２先端の差込係合板１３を切込部ｆ内に差し込み係止することにより底板部Ａ2 を形成するとともに、底板部Ａ2 の形成により角筒状体内に底部緩衝板部Ｂ2 を固定して、図１（ａ）に示す底板部Ａ2 と角筒状体内に底部緩衝板部Ｂ2 が形成されたカートンを組み立て形成する。
【００３１】
続いて、図１（ａ）に示すカートンの天板部Ａ1 側の開口部よりカートン内に内容物Ｃを入れて、図１（ｂ）に示すように、内容物Ｃの下端部を底部緩衝板部Ｂ2 の底部緩衝板６上面に載置する。該底部緩衝板６に内容物Ｃを係合保持するための切込部ｂ2 が設けられている場合には、内容物Ｃの下端部を切込部ｂ2 内に係合して固定保持する。
【００３２】
続いて、天部緩衝板部Ｂ1 を底部緩衝板部Ｂ2 と同様にしてカートンの上部角筒状体内に組み立て、その際に、内容物Ｃの上端部を天部緩衝板部Ｂ1 の天部緩衝板６下面に押し当てるようにして組み立てる。また、天部緩衝板６に内容物Ｃを係合保持するための切込部ｂ2 が設けられている場合には、内容物Ｃの上端部を切込部ｂ1 内に係合して固定保持する。
【００３３】
その後、天板部Ａ1 を、底板部Ａ2 と同様にして折り曲げ、差込板１２を、折目ｋを介して直角に折り曲げ、折込板５とフラップ板１０、１０の端部との間に差し込み、さらに差込板１２先端の差込係合板１３を切込部ｆ内に差し込み係止することにより天板部Ａ1 を形成するとともに、天板部Ａ1 の形成により上部カートン内に組み立て形成されている天部緩衝板部Ｂ1 を固定することにより、図１（ｂ）に示すようなカートン内に天部緩衝板部Ｂ1 と底部緩衝板部Ｂ2 とにより内容物Ｃを挟持して収納包装したカートンが組み立て形成される。
【００３４】
【発明の効果】
本発明の緩衝板付きカートンは、カートン本体と一体に緩衝板が連設されているものであって、従来のような別部品としてカートン内の所定位置に緩衝材を配置して組み付けるタイプのカートンの場合に比較して、カートンとは別に緩衝材を準備する手間が不要であり、またカートンに適合した緩衝材を仕入れるための仕入れ管理が不要であり、またカートン内の所定位置への緩衝材の位置決めや組み付けの作業を簡略化できる効果があり、カートン本体に一体に連設した緩衝板を、カートン内に折目を介して折り込んで簡単に組み立てることができ、カートン内に収納包装する内容物を緩衝板によって安全に固定保護することができる。
【図面の簡単な説明】
【図１】（ａ）は本発明の緩衝板付きカートンの組み立て完成状態を説明する全体斜視図、（ｂ）は本発明の緩衝板付きカートンに内容物を収納包装した状態を説明する斜視図。
【図２】本発明の緩衝板付きカートンの具体的実施例におけるカートンブランクを説明する平面図。
【符号の説明】
Ａ…カートン
Ａ1 …天板部  Ａ2 …底板部  Ａ3 …側板部  Ｂ1 …天部緩衝板部
Ｂ2 …底部緩衝板部  Ｃ…内容物
【図１】
0004103422.tif 000002
【図２】
0004103422.tif 000003